(57)【要約】【課題】布帛をエンドレスベルトに貼り付ける際の加圧力を弱くしても布帛の両端部がエンドレスベルトに確実に貼り付くインクジェット捺染装置を提供することを課題とする。【解決手段】布帛Ｃを捺染するインクジェット捺染装置１であって、布帛Ｃが貼り付く粘着面を有するエンドレスベルト２と、布帛Ｃの幅方向全体を加圧して布帛Ｃをエンドレスベルト２に貼り付ける全体貼付ローラ４と、布帛Ｃの幅方向両端部のみを加圧して布帛Ｃの幅方向両端部をエンドレスベルト２に貼り付ける両端部貼付ローラ５と、を備えている。【選択図】図１
0003146588.tif 000002
【実用新案登録請求の範囲】
【請求項１】
被捺染物を捺染するインクジェット捺染装置であって、
被捺染物が貼り付く粘着面を有する、被捺染物を搬送するためのエンドレスベルトと、
被捺染物の幅方向全体を加圧して被捺染物をエンドレスベルトに貼り付ける全体貼付手段と、
被捺染物の幅方向両端部のみを加圧して被捺染物の幅方向両端部を前記エンドレスベルトに貼り付ける両端部貼付手段と、
を備えた、インクジェット捺染装置。
【請求項２】
前記両端部貼付手段は、被捺染物の幅方向両端部上に回転可能に設置され、自重によって被捺染物を前記エンドレスベルトに押圧する両端部貼付ローラである、請求項１に記載のインクジェット捺染装置。
【請求項３】
前記両端部貼付ローラは、回転可能に設置された鋼製のローラ本体部を有する、請求項２に記載のインクジェット捺染装置。
【請求項４】
被捺染物を介して前記両端部貼付ローラと対向するように設置された強磁性体をさらに備え、
前記両端部貼付ローラは、回転可能に設置された永久磁石製のローラ本体部を有する、請求項２に記載のインクジェット捺染装置。
【請求項５】
前記ローラ本体部は、取り換え可能である、請求項４に記載のインクジェット捺染装置。
【請求項６】
被捺染物を介して前記両端部貼付ローラと対向するように設置された強磁性体をさらに備え、
前記両端部貼付ローラは、電磁石を有する、請求項２に記載のインクジェット捺染装置。
【請求項７】
前記両端部貼付ローラは、外周面にゴム層を有する、請求項２〜６のいずれかに記載のインクジェット捺染装置。
【請求項８】
前記全体貼付手段は、自重によって被捺染物全体を前記エンドレスベルトに押圧するよう回転可能に設置された全体貼付ローラである、請求項１〜７のいずれかに記載のインクジェット捺染装置。
【考案の詳細な説明】
【技術分野】
【０００１】
本考案は、被捺染物を捺染するインクジェット捺染装置に関するものである。
【背景技術】
【０００２】
従来、綿や絹、ポリエステルなどの布帛に捺染を行う装置として、スクリーン捺染装置や、ローラ捺染装置などが広く用いられていた。しかし、これらの捺染装置は、図柄毎にスクリーン枠や彫刻ローラ等を用意する必要があるが、スクリーン枠や彫刻ローラは高価であるために大量生産しなければ経済的な面でコストが合わないといった問題があった。これに対して、インクジェット捺染装置は、デジタルデータを変更するだけで図柄の変更に対応することができるため、少量多品種の生産に向いているといった利点があり、近年広く用いられてきている。このインクジェット捺染装置は、例えば特許文献１の図１に示されるように、上流側と下流側に搬送ローラが設置されており、布帛を搬送するための搬送ベルトがこれら搬送ローラに巻回されている。この搬送ベルトによって搬送された布帛はプリンタ部によって捺染されるが、捺染時の布帛の平坦性を確保するために、搬送ベルトの表面に粘着層を形成し、貼付ローラを用いて布帛を搬送ベルト上に貼り付けている。そして、捺染が終了した布帛は、下流側の搬送ローラまで搬送されると送りローラ及び中間ローラを介して巻取ローラに巻き取られる。
【特許文献１】特開２００４−１６９２４８号公報
【考案の開示】
【考案が解決しようとする課題】
【０００３】
ところで、被捺染物として薄地布帛やニット製布帛を捺染する場合、これらの布帛をエンドレスベルトに貼り付ける際の加圧力を強くすると捺染後の布帛をエンドレスベルトから剥離して巻き取る際に布帛が伸長したり糸目が曲がったりしてしまうといった問題があるために、貼付ローラの加圧力は低い値に設置する必要があった。しかしながら、このように弱い力で布帛をエンドレスベルトに貼り付けると、布帛の両端部の接着性が悪く布帛の両端部がエンドレスベルトに接着されずに浮いてしまうという問題があった。なお、このように布帛の両端部が浮いてしまうと、布帛の両端部がインクジェットノズルに接触してすれ汚れが発生したり、インクジェットノズルを損傷してしまうおそれがある。
【０００４】
そこで、本考案は、被捺染物をエンドレスベルトに貼り付ける際の加圧力を弱くしても被捺染物の両端部がエンドレスベルトに確実に貼り付くインクジェット捺染装置を提供することを課題とする。
【課題を解決するための手段】
【０００５】
本考案に係るインクジェット捺染装置は、上記課題を解決するためになされたものであり、被捺染物を捺染するインクジェット捺染装置であって、被捺染物が貼り付く粘着面を有する、被捺染物を搬送するためのエンドレスベルトと、被捺染物の幅方向全体を加圧して被捺染物をエンドレスベルトに貼り付ける全体貼付手段と、被捺染物の幅方向両端部のみを加圧して被捺染物の幅方向両端部を前記エンドレスベルトに貼り付ける両端部貼付手段と、を備えている。
【０００６】
この構成によれば、全体貼付手段によって布帛Ｃをエンドレスベルトに貼り付ける際の加圧力が低い場合であっても、両端部貼付手段が被捺染物の幅方向両端部のみを加圧して被捺染物の幅方向両端部をエンドレスベルトに補助的に貼り付けるため、布帛Ｃの両端部がエンドレスベルトから剥離して浮いてしまうといった問題を解消することができる。
【０００７】
上記インクジェット捺染装置は種々の構成をとることができるが、例えば、上記両端部貼付手段は、被捺染物の幅方向両端部上に回転可能に設置され、自重によって被捺染物を前記エンドレスベルトに押圧する両端部貼付ローラであることが好ましい。
【０００８】
上記両端部貼付ローラは、回転可能に設置された鋼製のローラ本体部を有することができる。
【０００９】
また、上記インクジェット捺染装置は、被捺染物を介して両端部貼付ローラと対向するように設置された強磁性体をさらに備え、両端部貼付ローラが、回転可能に設置された永久磁石製のローラ本体部を有するように構成することができる。このようにローラ本体部を永久磁石とするとともにエンドレスベルトを介して強磁性体をさらに備えることによって、両端部貼付ローラの自重だけでなく、磁力によっても両端部貼付ローラが布帛をエンドレスベルトに押圧して布帛をエンドレスベルトに貼り付けることができる。なお、強磁性体は被捺染物を介して両端部貼付ローラと対向するように設置されているが、例えば、被捺染物とエンドレスベルトを介して強磁性体が設置されていてもよいし、又はエンドレスベルトが強磁性体で構成されていてもよい。
【００１０】
上記永久磁石製のローラ本体部は、取り換え可能とすることが好ましい。これにより、布帛の端部をより強い力でエンドレスベルトに貼り付けたい場合は、より磁力の強い磁石を用いたローラ本体部に取り換え、逆により弱い力でエンドレスベルトに貼り付けたい場合は、より磁力の弱い磁石を用いたローラ本体部に取り換えることができる。
【００１１】
また、上記インクジェット捺染装置は、エンドレスベルトを介して両端部貼付ローラと対向するように設置された強磁性体をさらに備え、両端部貼付ローラが電磁石を有するように構成することもできる。このように構成することで、両端部貼付ローラは、自重だけでなく、磁力によっても布帛Ｃをエンドレスベルトに押圧して布帛をエンドレスベルトに貼り付けることができることができる。また、電流の強さを調整することによって電磁石の磁力を調整することができるため、例えば布帛をエンドレスベルトに対してより強い力で押圧したいときは電流を強くし、逆により弱い力で押圧したいときは電流を弱くするなどして布帛をエンドレスベルトに押圧する加圧力を調整することができる。また、強磁性体は被捺染物を介して両端部貼付ローラと対向するように設置されているが、例えば、被捺染物とエンドレスベルトを介して強磁性体が設置されていてもよいし、又はエンドレスベルトが強磁性体で構成されていてもよい。
【００１２】
また、上記両端部貼付ローラは、外周面にゴム層を有することが好ましい。これにより、布帛Cを痛めることなく、また均一な力で布帛Cをエンドレスベルト２側に押圧することができる。
【００１３】
また、上記全体貼付手段は、自重によって被捺染物全体をエンドレスベルトに押圧するよう回転可能に設置された全体貼付ローラであることが好ましい。
【考案の効果】
【００１４】
本考案によれば、被捺染物をエンドレスベルトに貼り付ける際の加圧力を弱くしても被捺染物の両端部がエンドレスベルトに確実に貼り付くインクジェット捺染装置を提供することができる。
【考案を実施するための最良の形態】
【００１５】
以下、本考案に係るインクジェット捺染装置の実施形態を図面に基づいて説明する。図１は、本実施形態に係るインクジェット捺染装置の全体を示す概略側面図、図２はインクジェット捺染装置の両端部貼付手段の詳細を示す斜視図、図３は両端部貼付手段の詳細を示す正面断面図である。なお、図１の右側を「上流側」、左側を「下流側」と称し、被捺染物は図１の右から左へと搬送される。
【００１６】
図１に示すように、インクジェット捺染装置１は、布帛（被捺染物）Ｃを巻出す巻出しローラＣ１と、布帛Ｃを搬送するエンドレスベルト２と、エンドレスベルト２を間欠的に駆動する上流側駆動ローラ３ａ及び下流側駆動ローラ３ｂとを備えている。上流側駆動ローラ３ａの上方には、布帛Ｃ全体をエンドレスベルト２上に貼り付ける全体貼付ローラ（全体貼付手段）４が設置されており、この全体貼付ローラ４の下流側には両端部貼付ローラ（両端部貼付手段）５が設置されている。また、上流側駆動ローラ３ａと下流側駆動ローラ３ｂとの間には布帛Ｃを捺染するインクジェット捺染ユニット６が設置されている。そして、下流側駆動ローラ３ｂの下流には、中間ローラ７を介して、下流側駆動ローラ３ｂから剥離された布帛Ｃを巻き取る巻取ローラＣ２が設置されている。この中間ローラ７と巻取ローラＣ２との間には布帛Ｃを乾燥するための乾燥用ヒータープレート８が設置されている。
【００１７】
以下、インクジェット捺染装置１を構成する各部材について説明する。
【００１８】
エンドレスベルト２は、金属製やゴム製、プラスチック製など種々の材料を採用可能であり、その外側表面に粘着面が形成されている。この粘着面は、例えば、感圧式の粘着剤をエンドレスベルト２の表面に塗布して形成することができる。このように、エンドレスベルト２の表面には粘着面が形成されているため、後述する全体貼付ローラ４や両端部貼付ローラ５で布帛Ｃをエンドレスベルト２上に押圧することによって、布帛Ｃをエンドレスベルト２上に貼り付けることができる。
【００１９】
上流側駆動ローラ３ａ及び下流側駆動ローラ３ｂは、モータ（図示省略）を駆動源として図１の反時計回りに間欠的に回転することで、エンドレスベルト２を矢印方向に間欠的に走行させる。なお、上流側駆動ローラ３ａと下流側駆動ローラ３ｂとは、同じタイミングで且つ同じ速度で回転している。
【００２０】
全体貼付ローラ４は、エンドレスベルト２の上流側に設置されており、布帛Ｃの全体をエンドレスベルト２に押圧するような長さを有している。この全体貼付ローラ４は、エンドレスベルト２上で搬送される布帛Ｃと接触しているので、エンドレスベルト２が走行するとそれに伴って時計回りに回転するように構成されている。図２に示すように、この全体貼付ローラ４は、軸部４１と、ローラ本体部４２とから構成されている。ローラ本体部４２は、軸部（中心軸）４１を中心に回転するように、ベアリング（図示省略）を介して軸部４１に取り付けられている。ローラ本体部４２は、布帛Ｃの全体を押圧できるよう、布帛Ｃの幅よりも長く形成されている。ローラ本体部４２の外層はゴムなどのような弾性を有する材料によって形成されている。このようにゴムなどの弾性を有する材料によってローラ本体部４２の外層を形成することで、布帛Cを痛めることなく、また均一な力で布帛Cをエンドレスベルト２側に押圧することができる。
【００２１】
次に、全体貼付ローラ４の下流側に設けられた両端部貼付ローラ５について図２及び図３を参照しつつ説明する。図２に示すように、両端部貼付ローラ５は、Ｕ字状の受け部が形成された支持部材１０１に支持された棒状の軸１０２に２つ設置されており、布帛Ｃの幅方向両端部上に位置している。この各両端部貼付ローラ５は、図３に示すように、軸１０２に対してスライド可能に取り付けられたスライドスリーブ５１と、スライドスリーブ５１に対して回転可能に取り付けられたローラ本体部５２と、ローラ本体部５２の外周面を覆うように形成されたゴム層５３とを有している。
【００２２】
スライドスリーブ５１は、水平方向に延びる貫通穴５１１が形成されており、この貫通穴５１１内に軸１０２を通すことで軸１０２に沿ってスライド可能となっている。また、スライドスリーブ５１は、外周面から貫通穴５１１に向かって形成されたネジ穴５１２を有しており、このネジ穴５１２には固定ネジ５１３が螺合している。この固定ネジ５１３を締めることで固定ネジ５１３と軸１０２とが係合してスライドスリーブ５１は軸１０２に対してスライドも回転もしないように固定される。また、固定ネジ５１３を緩めることで固定ネジ５１３と軸１０２との係合状態が解除されてスライドスリーブ５１が軸１０２に対してスライドや回転が可能となる。
【００２３】
ローラ本体部５２は、ベアリング５４を介してスライドスリーブ５１に取り付けられることで、スライドスリーブ５１に対して回転可能となっている。また、ローラ本体部５２は、鋼製であるが、特に材質は限定されるものではない。なお、ローラ本体部５２及びゴム層５３の幅は、特に限定されるものではないが一般的に約３０〜６０ｍｍであることが好ましい。
【００２４】
インクジェット捺染ユニット６は、上流側駆動ローラ３ａと下流側駆動ローラ３ｂとの間に設置されており、プリンタヘッド（図示省略）と、プリンタヘッドを搭載したヘッドキャリッジ（図示省略）とを有している。布帛Ｃに捺染を行うときは、ヘッドキャリッジは布帛Ｃの幅方向に走査し、このヘッドキャリッジが走査する間、プリンタヘッドからインクが噴射されて布帛Ｃを捺染する。
【００２５】
捺染されてエンドレスベルト２から剥離された布帛Ｃを乾燥するよう、剥離ローラ７の下流に乾燥用ヒータープレート８が設置されている。捺染された布帛Ｃを乾燥するために、好ましくは乾燥用ヒータープレート８を１００〜１３０度まで上昇する。そして、乾燥用ヒータープレート８の下流には、乾燥した布帛Ｃを巻き取るための巻取ローラＣ２が設置されている。
【００２６】
次に、上述したインクジェット捺染装置１による捺染方法について説明する。
【００２７】
まず、図１及び図２に示すように、布帛Ｃを巻出しローラＣ１から巻き出してエンドレスベルト２と全体貼付ローラ４との間を通す。これにより、布帛Ｃは、全体貼付ローラ４の自重でエンドレスベルト２上に押圧されてエンドレスベルト２上に貼り付けられる。布帛Ｃの種類や厚さによって、全体貼付ローラ４の重さを調整することにより押圧力を調整する。このように全体貼付ローラ４の押圧力を調整することで、布帛Ｃは全体貼付ローラ４によってエンドレスベルト２に適度な力で押圧されてエンドレスベルト２上に貼り付けられる。そして、このようにエンドレスベルト２上に貼り付けられた布帛Ｃの幅方向両端部に両端部貼付ローラ５が位置するように調整する。この調整方法は、図３に示すように、まず各両端部貼付ローラ５が軸１０２に対してスライドできるように固定ネジ５１３を緩ませる。そして、各両端部貼付ローラ５を布帛Ｃの幅方向端部に対応する位置まで移動させて固定ネジ５１３を締めて各両端部貼付ローラ５がスライドしないよう固定する。なお、この両端部貼付ローラ５が布帛Ｃの幅方向端部に対応する位置は、両端部貼付ローラ５のゴム層５３が布帛Ｃの幅方向端縁から約１５〜３０ｍｍまでを押さえている位置であることが好ましい。
【００２８】
以上のように、全体貼付ローラ４で布帛Ｃ全体を押圧してエンドレスベルト２に貼り付けるとともに、両端部貼付ローラ５で布帛Ｃの両端部をさらに押圧してエンドレスベルト２に貼り付けた後、布帛Ｃは、エンドレスベルト２によって下流側に搬送される。そして、インクジェット捺染ユニット６によって捺染が行われる。その後、布帛Ｃは、下流側駆動ローラ３ｂまで搬送されてエンドレスベルト２から剥離され、中間ローラ７を介して巻取ローラＣ２によって巻き取られる。なお、中間ローラ７から巻取ローラＣ２に巻き取られるまでの間に、布帛Ｃは乾燥用ヒータープレート８によって乾燥される。
【００２９】
以上、本実施形態によれば、全体貼付ローラ４で布帛Ｃの全体をエンドレスベルト２に貼り付けた後に、さらに両端部貼付ローラ５によって布帛Ｃの両端部をエンドレスベルト２に貼り付けているため、布帛Ｃの両端部がエンドレスベルト２から剥離して浮いてしまうといった問題を解消することができる。
【００３０】
以上、本考案の実施形態について説明したが、本考案はこれらに限定されるものではなく、本考案の趣旨を逸脱しない限りにおいて種々の変更が可能である。例えば、上記実施形態では、両端部貼付ローラ５は最外層にゴム層５３を有しているが、エンドレスベルト２の粘着面と両端部貼付ローラ５の剥離性の観点から、ローラ本体部５２の外周面にフッ素樹脂をコーティングしたものを使用することができる。なお、全体貼付ローラ４も同様にローラ本体部４２の外周面にフッ素樹脂をコーティングすることができる。
【００３１】
また、エンドレスベルト２の粘着面を感圧式粘着剤ではなく感熱性の粘着剤で形成することもできる。この場合は、予め布帛Ｃを加熱する必要があるので、全体貼付ローラ４のローラ本体部４２や両端部貼付ローラ５のローラ本体部５２を鋼製として、このローラ本体部４２、５２を蒸気や電熱、温水等で加熱することでヒーターローラとすることで、布帛Ｃをエンドレスベルト２に接着させる。なお、この場合は、ローラ本体部４２，５２の外周面に別途層を設けない方が好ましい。
【００３２】
また、上記実施形態では、自重によって布帛Ｃをエンドレスベルト２に押圧して貼り付ける両端部貼付ローラ５を両端部貼付手段として採用しているが、両端部貼付手段は特にこれに限定されるものではなく、例えば、エアーを布帛Ｃの上方から布帛Ｃの両端部に吹き付けることで布帛Ｃの両端部をエンドレスベルト２に加圧して貼り付けることもできる。
【００３３】
また、その他にも、例えば図４に示すように、ローラ本体部５２を永久磁石によって形成するとともに、鋼などの強磁性体で形成された強磁性体テーブル９をエンドレスベルト２の下部に設置することもできる。この構成によると、ローラ本体部５２が、その磁力によって軸１０２と共に強磁性体テーブル９側に吸引されて布帛Ｃをエンドレスベルト２に押圧することができる。よって、永久磁石製のローラ本体部５２を有する両端部貼付ローラ５は、その自重と磁力によって布帛Ｃをエンドレスベルト２に押圧している。このため、より強い力で布帛Ｃをエンドレスベルト２に押圧したいときは、ローラ本体部５２をより磁力の強いローラ本体部５２に取り換えることで対応することができ、逆により弱い力で押圧したいときは、より磁力の弱いローラ本体部５２に取り換えることで対応することができる。なお、強磁性体テーブル９は固定されているため、磁力によって移動するのは両端部貼付ローラ５となっている。
【００３４】
また、両端部貼付ローラ５が電磁石を有するように構成することによっても、ローラ本体部５２を永久磁石によって形成した両端部貼付ローラ５と同様の効果を得ることができる。また、両端部貼付ローラ５のローラ本体部５２を強磁性体とし、テーブル９’を電磁石にしてもよい。このように電磁石を使用した場合は、より強い力で布帛Ｃをエンドレスベルト２に押圧したいときは、電磁石の電流を強くすることで対応することができ、逆により弱い力で押圧したいときは、電磁石の電流を弱くすることで対応することができる。
【００３５】
また、上記実施形態では、捺染された布帛Ｃを乾燥するためにヒータープレート８を使用しているが、熱風式の乾燥装置を代わりに設置したり、これら両方を併用したりすることもできる。
【図面の簡単な説明】
【００３６】
【図１】本発明に係るインクジェット捺染装置の実施形態を示す概略側面図である。
【図２】本実施形態に係るインクジェット捺染装置の上流側の詳細を示す斜視図である。
【図３】本実施形態に係る両端部貼付ローラを示す正面断面図である。
【図４】他の実施形態に係る両端部貼付ローラを示す正面断面図である。
【符号の説明】
【００３７】
１  インクジェット捺染装置
２  エンドレスベルト
４  全体貼付ローラ（全体貼付手段）
５  両端部貼付ローラ（両端部貼付手段）
【図１】
0003146588.tif 000003
【図２】
0003146588.tif 000004
【図３】
0003146588.tif 000005
【図４】
0003146588.tif 000006